【手続補正書】
【提出日】平成20年1月28日(2008.1.28)
【手続補正１】
【補正対象書類名】明細書
【補正対象項目名】特許請求の範囲
【補正方法】変更
【補正の内容】
【特許請求の範囲】
【請求項１】  トナー像を担持する像担持体と、転写材を担持搬送する転写材担持体と、前記転写材担持体に吸着位置で転写材を静電吸着する、吸着バイアスが印加される吸着部材と、前記転写材担持体上の転写材に転写位置で前記像担持体上のトナー像を転写する、転写バイアスが印加される転写手段とを備え、前記像担持体上のトナー像の先端が画像開始位置から転写位置に至るまで移動する時間が、前記転写材担持体上の転写材の先端が前記吸着位置から転写位置まで移動する時間よりも短い画像形成装置において、
転写材が前記吸着位置に到達する際の、前記吸着バイアスによる電流または電圧を検知するバイアス検知手段と、前記バイアス検知手段が検知する電流または電圧の変化のタイミングに基づいて、前記像担持体に対する画像形成開始タイミングもしくは前記転写手段に対する画像形成用の転写バイアスの印加開始タイミングもしくは印加終了タイミングを制御する制御手段とを有することを特徴とする画像形成装置。
【請求項２】  トナー像を担持する像担持体と、転写材を担持搬送する転写材担持体と、前記転写材担持体に吸着位置で転写材を静電吸着する、吸着バイアスが印加される吸着部材と、前記転写材担持体上の転写材に転写位置で前記像担持体上のトナー像を転写する、転写バイアスが印加される転写手段とを備え、前記像担持体上のトナー像の先端が画像開始位置から転写位置に至るまで移動する時間が、前記転写材担持体上の転写材の先端が前記吸着位置から転写位置まで移動する時間よりも長い画像形成装置において、
転写材が前記吸着位置に到達する際の、前記吸着バイアスによる電流または電圧を検知するバイアス検知手段と、前記バイアス検知手段が検知する電流または電圧の変化のタイミングに基づいて、前記転写手段に対する画像形成用の転写バイアスの印加開始タイミングもしくは印加終了タイミングを制御する制御手段とを有することを特徴とする画像形成装置。
【請求項３】  前記吸着位置への転写材先端の到達を検出するまでの前記吸着バイアスの値を、前記吸着位置への転写材先端の到達を検出した後の前記吸着バイアスの値と異ならせることを特徴とする請求項１又は２に記載の画像形成装置。
【請求項４】  前記吸着位置への転写材先端の到達を検出するまでの前記吸着バイアスの値を、画像形成装置本体内の環境の温湿度、転写材の種類およびプロセススピードのうちの少なくとも１つの条件に応じて変更することを特徴とする請求項１〜３のいずれかの項に記載の画像形成装置。
【請求項５】  前記吸着バイアスを印加する電源が定電圧電源であり、前記バイアス検知手段が電流検出手段であることを特徴とする請求項１〜４のいずれかの項に記載の画像形成装置。
【請求項６】  前記吸着バイアスを印加する電源が定電流電源であり、前記バイアス検知手段が電圧検出手段であることを特徴とする請求項１〜４のいずれかの項に記載の画像形成装置。
【請求項７】  前記吸着部よりも前記転写材担持体の移動方向上流側に転写材検出手段を有し、前記転写材検出手段により転写材を検出してから所定時間後に前記吸着位置への転写材先端の到達が検出されない場合、前記所定時間を基点として前記像担持体に対する画像形成開始タイミングもしくは前記転写手段に対する画像形成用の転写バイアスの印加開始タイミングもしくは印加終了タイミングを制御することを特徴とする請求項１、３、４、５または６の画像形成装置。
【請求項８】  前記吸着部よりも前記転写材担持体の移動方向上流側に転写材検出手段を有し、前記転写材検出手段により転写材を検出してから所定時間後に前記吸着位置への転写材先端の到達が検出されない場合、前記所定時間を基点として前記転写手段に対する画像形成用の転写バイアスの印加開始タイミングもしくは印加終了タイミングを制御することを特徴とする請求項２、３、４、５または６の画像形成装置。
【請求項９】  前記像担持体を複数有し、前記複数の像担持体上の複数色の像を前記転写材担持体上の転写材に重ねて転写することを特徴とする請求項１〜８のいずれかの項に記載の画像形成装置。
【請求項１０】  トナー像を担持する像担持体と、転写材を担持搬送する転写材担持体と、前記転写材担持体に吸着位置で転写材を静電吸着する、吸着バイアスが印加される吸着部材と、前記転写材担持体上の転写材に転写位置で前記像担持体上のトナー像を転写する、転写バイアスが印加される転写手段とを備える画像形成装置において、
転写材後端が前記吸着位置から抜ける際の、前記吸着バイアスによる電流または電圧を検知するバイアス検知手段と、前記バイアス検知手段が検知する電流または電圧の変化のタイミングに基づいて、前記像担持体に対する画像形成終了タイミングもしくは前記転写手段に対する画像形成用の転写バイアスの印加終了タイミングを制御する制御手段とを有することを特徴とする画像形成装置。
【請求項１１】  前記吸着バイアスを印加する電源が定電圧電源であり、前記バイアス検知手段が電流検出手段であることを特徴とする請求項１０の画像形成装置。
【請求項１２】  前記吸着バイアスを印加する電源が定電流電源であり、前記バイアス検知手段が電圧検出手段であることを特徴とする請求項１０の画像形成装置。
【請求項１３】  前記像担持体を複数有し、前記複数の像担持体上の複数色の像を前記転写材担持体上の転写材に重ねて転写することを特徴とする請求項１０〜１２のいずれかの項に記載の画像形成装置。
【手続補正２】
【補正対象書類名】明細書
【補正対象項目名】００１５
【補正方法】変更
【補正の内容】
【００１５】
【課題を解決するための手段】
上記目的は本発明に係る画像形成装置にて達成される。要約すれば、本発明の一態様によれば、トナー像を担持する像担持体と、転写材を担持搬送する転写材担持体と、前記転写材担持体に吸着位置で転写材を静電吸着する、吸着バイアスが印加される吸着部材と、前記転写材担持体上の転写材に転写位置で前記像担持体上のトナー像を転写する、転写バイアスが印加される転写手段とを備え、前記像担持体上のトナー像の先端が画像開始位置から転写位置に至るまで移動する時間が、前記転写材担持体上の転写材の先端が前記吸着位置から転写位置まで移動する時間よりも短い画像形成装置において、
転写材が前記吸着位置に到達する際の、前記吸着バイアスによる電流または電圧を検知するバイアス検知手段と、前記バイアス検知手段が検知する電流または電圧の変化のタイミングに基づいて、前記像担持体に対する画像形成開始タイミングもしくは前記転写手段に対する画像形成用の転写バイアスの印加開始タイミングもしくは印加終了タイミングを制御する制御手段とを有することを特徴とする画像形成装置が提供される。
【手続補正３】
【補正対象書類名】明細書
【補正対象項目名】００１６
【補正方法】変更
【補正の内容】
【００１６】
本発明の他の態様によれば、トナー像を担持する像担持体と、転写材を担持搬送する転写材担持体と、前記転写材担持体に吸着位置で転写材を静電吸着する、吸着バイアスが印加される吸着部材と、前記転写材担持体上の転写材に転写位置で前記像担持体上のトナー像を転写する、転写バイアスが印加される転写手段とを備え、前記像担持体上のトナー像の先端が画像開始位置から転写位置に至るまで移動する時間が、前記転写材担持体上の転写材の先端が前記吸着位置から転写位置まで移動する時間よりも長い画像形成装置において、
転写材が前記吸着位置に到達する際の、前記吸着バイアスによる電流または電圧を検知するバイアス検知手段と、前記バイアス検知手段が検知する電流または電圧の変化のタイミングに基づいて、前記転写手段に対する画像形成用の転写バイアスの印加開始タイミングもしくは印加終了タイミングを制御する制御手段とを有することを特徴とする画像形成装置が提供される。
【手続補正４】
【補正対象書類名】明細書
【補正対象項目名】００１８
【補正方法】変更
【補正の内容】
【００１８】
また、前記吸着部よりも前記転写材担持体の移動方向上流側に転写材検出手段を有し、前記転写材検出手段により転写材を検出してから所定時間後に前記吸着位置への転写材先端の到達が検出されない場合、前記所定時間を基点として前記像担持体に対する画像形成開始タイミングもしくは前記転写手段に対する画像形成用の転写バイアスの印加開始タイミングもしくは印加終了タイミングを制御する。前記吸着部よりも前記転写材担持体の移動方向上流側に転写材検出手段を有し、前記転写材検出手段により転写材を検出してから所定時間後に前記吸着位置への転写材先端の到達が検出されない場合、前記所定時間を基点として前記転写手段に対する画像形成用の転写バイアスの印加開始タイミングもしくは印加終了タイミングを制御する。
【手続補正５】
【補正対象書類名】明細書
【補正対象項目名】００１９
【補正方法】変更
【補正の内容】
【００１９】
本発明の他の態様によれば、トナー像を担持する像担持体と、転写材を担持搬送する転写材担持体と、前記転写材担持体に吸着位置で転写材を静電吸着する、吸着バイアスが印加される吸着部材と、前記転写材担持体上の転写材に転写位置で前記像担持体上のトナー像を転写する、転写バイアスが印加される転写手段とを備える画像形成装置において、
転写材後端が前記吸着位置から抜ける際の、前記吸着バイアスによる電流または電圧を検知するバイアス検知手段と、前記バイアス検知手段が検知する電流または電圧の変化のタイミングに基づいて、前記像担持体に対する画像形成終了タイミングもしくは前記転写手段に対する画像形成用の転写バイアスの印加終了タイミングを制御する制御手段とを有することを特徴とする画像形成装置が提供される。